(57)【要約】【課題】ハウジング精度によらず光学部品の位置、角度調整を行うことが可能な光ピックアップ装置及びこの光ピックアップ装置を用いた光ディスク装置を提供する。【解決手段】ディスクの情報記録面にレーザ光を照射する少なくとも１つ以上の光源ユニット２０１と、光源ユニット２０１から照射されたレーザ光を透過又は反射させるためのダイクロイックプリズム（以下、ＤＰ）３０２と、このＤＰ３０２によって透過又は反射されたレーザ光をディスクの情報記録面に集光するための対物レンズ３０７と、これら光源ユニット２０１、ＤＰ３０２、対物レンズ３０７を保持し、ＤＰ３０２を取り付けられる取付面１６と、この取付面１６にＤＰ３０２の位置調整を行うための治具を挿入させる挿入孔１０、１１、１２を備えられたことを特徴とする。【選択図】　　　図５
2004103193.tif 000002
【特許請求の範囲】
【請求項１】
ディスクの情報記録面にレーザ光を照射する少なくとも１つ以上の光源ユニットと、
前記光源ユニットから照射された前記レーザ光を透過又は反射させるための波長選択性部材と、
この波長選択性部材によって透過又は反射された前記レーザ光を前記ディスクの情報記録面に集光するための対物レンズと、
これら光源ユニット、波長選択性部材、対物レンズを保持し、前記波長選択性部材が取り付けられる取付面と、この取付面に前記波長選択性部材の位置調整を行うための治具が挿入される挿入孔とを備えたハウジングとを具備することを特徴とする光ピックアップ装置。
【請求項２】
前記ハウジングの前記取付面は、前記波長選択性部材を接着固定するための接着孔が設けられることを特徴とする請求項１記載の光ピックアップ装置。
【請求項３】
前記挿入孔は、前記取付面に少なくとも１つ以上設けられることを特徴とする請求項１記載の光ピックアップ装置。
【請求項４】
前記波長選択性部材は２つの部材が貼り合わされており、この貼り合わされた面を避けるように、前記挿入孔が前記取付面に設けられることを特徴とする請求項３記載の光ピックアップ装置。
【請求項５】
前記挿入孔は、前記波長選択性部材が取り付けられる前記取付面の外周側の位置に設けられることを特徴とする請求項３記載の光ピックアップ装置。
【請求項６】
ディスクの情報記録面にレーザ光を照射する少なくとも１つ以上の光源ユニットと、
前記光源ユニットから照射された前記レーザ光を透過又は反射させるための波長選択性部材と、
この波長選択性部材によって透過又は反射された前記レーザ光を前記ディスクの情報記録面に集光するための対物レンズと、
これら光源ユニット、波長選択性部材、対物レンズを保持し、前記波長選択性部材が取り付けられる取付面と、この取付面に前記波長選択性部材の位置調整を行うための治具が挿入される挿入孔とを有するハウジングと、
このハウジングを前記ディスクの半径方向に移動可能とするガイドレールと、
前記ディスクを回転駆動させるためのディスクモータとを具備することを特徴とする光ディスク装置。
【請求項７】
前記取付面は、前記波長選択性部材を接着固定するための接着孔が設けられることを特徴とする請求項６記載の光ピックアップ装置。
【請求項８】
前記挿入孔は、前記ハウジングの取付面に少なくとも１つ以上設けられることを特徴とする請求項６記載の光ピックアップ装置。
【請求項９】
前記波長選択性部材は２つの部材が貼り合わされており、この貼り合わされた面を避けるように、前記挿入孔が前記取付面に設けられることを特徴とする請求項８記載の光ピックアップ装置。
【請求項１０】
前記挿入孔は、前記波長選択性部材が取り付けられる前記取付面の外周側の位置に設けられることを特徴とする請求項８記載の光ピックアップ装置。
【発明の詳細な説明】
【０００１】
【発明の属する技術分野】
この発明は、ＣＤ（Ｃｏｍｐａｃｔ　Ｄｉｓｋ）、ＣＤ（Ｃｏｍｐａｃｔ　Ｄｉｓｋ）−Ｒ（Ｒｅｃｏｒｄａｂｌｅ）／ＲＷ（ＲｅＷｒｉｔａｂｌｅ）、ＤＶＤ（Ｄｉｇｉｔａｌ　Ｖｅｒｓａｔｉｌｅ　Ｄｉｓｋ）−ＲＯＭ（Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｋ）−ＲＡＭ（Ｒａｎｄｏｍ　Ａｃｃｅｓｓ　Ｍｅｍｏｒｙ）等の光ディスクに対して、情報を記録又は再生するための光ピックアップ装置及びこのような光ピックアップ装置を用いた光ディスク装置に関する。
【０００２】
【従来の技術】
周知のように、近年、記録媒体の分野においては、オーディオやデジタルデータを記録した従来のＣＤの直径（１２ｃｍ）と同じ大きさでありながら、高密度記録が可能なＤＶＤが開発されている。このＤＶＤは、その記録密度が高いために、ＣＤのデータを読み取る光の波長（例えば７８０ｎｍ）よりも短い波長（例えば６５０ｎｍ）のビームを必要とされる。
【０００３】
光ディスク装置としては、ＣＤ、ＤＶＤのいずれのディスクシステムも記録再生可能なものが望まれている。これにより、所定の波長の光ビーム（レーザビーム）をそれぞれ放射する発光素子（レーザ素子）を用いた光ピックアップ装置として、ＣＤ用の第１の集積光学ユニット（波長７８０ｎｍ）と、ＤＶＤ用の第２の集積光学ユニット（波長６５０ｎｍ）とを有するものが開発されている（例えば、特許文献１参照）。
【０００４】
近年、このような光ピックアップ装置、またはこの光ピックアップ装置を用いた光ディスク装置に対して、小型化や高性能対応の要請が著しく高まってきている。
これに伴い、光ディスクに対して情報の記録／再生を行うための光学部品の回転位置調整に厳しい設計条件が課せられている。例えば、ＣＤ用の第１の集積光学ユニットから照射されるレーザ光を透過させ、ＤＶＤ用の第２の集積光学ユニットから照射されるレーザ光を反射させるダイクロイックプリズムは、ラジアル方向又はタンジェンシャル方向の角度を±０．０５度以内に調整することが要求される。また、このダイクロイックプリズムだけでなく、様々な光学部品が組み合わさった光ピックアップ装置では、光学性能を満足する各部品の位置や角度を確保することが要求される。
【０００５】
しかしながら、従来は、例えばダイクロイックプリズムをハウジングにあてつける際に、人間の手感覚よってあてつけ、そしてその後接着剤等を充填することで位置調整していた。
【０００６】
【特許文献１】
特開平１０−１５４３４４号公報（第６−８頁、第１図）
【０００７】
【発明が解決しようとする課題】
このような光ピックアップ装置において、一般的に光学部品を調整するためにはハウジングへのあてつけを行うが、光学性能を満足させるためには各部品を固定する位置や角度を確保する必要があり、そのためにハウジング自体の部品精度を追い込む必要がある。
【０００８】
ハウジングの精度追い込みは試作を行う度に、各光学部品の位置や角度を調整し直して型変更を行い、各光学部品の調整精度を上げていく。光学部品の位置、角度の何れかがずれてしまうと、満足な光学性能が得られず、光ピックアップ性能に大きく寄与するため、ハウジング精度追い込みには膨大な時間を費やさなければならない。例えば、１回の型変更で約１ヶ月くらいかかることから、繰返し型変更を行った場合、気の遠くなるような時間がかかってしまう。
【０００９】
そのため、ハウジングのあてつけのみで光学部品の調整を行うと、安定した光ピックアップ性能、生産能力を十分に確保できない。
本発明はこのような課題を解決するためのもので、ハウジング精度によらず光学部品の位置、角度調整を行うことが可能な光ピックアップ装置及びこの光ピックアップ装置を用いた光ディスク装置を実現することを目的とする。
【００１０】
【課題を解決するための手段】
この発明は、上記の目的を達成するために、ディスクの情報記録面にレーザ光を照射する少なくとも１つ以上の光源ユニットと、前記光源ユニットから照射された前記レーザ光を透過又は反射させるための波長選択性部材と、この波長選択性部材によって透過又は反射された前記レーザ光を前記ディスクの情報記録面に集光するための対物レンズと、これら光源ユニット、波長選択性部材、対物レンズを保持し、前記波長選択性部材が取り付けられる取付面と、この取付面に前記波長選択性部材の位置調整を行うための治具が挿入される挿入孔とを備えたハウジングとを具備することを特徴とする。
【００１１】
上記の構成により、光学部品であるダイクロイックプリズムをハウジングに取り付ける際に、治具を用いて３軸調整するため、ハウジング精度に大きく寄与するあてつけ方式よりも、角度、位置調整を容易かつ正確に行うことができ、光ピックアップ装置として高性能な製品を提供することができる。
【００１２】
【発明の実施の形態】
以下、本発明を実施する場合の形態について図面に基づき説明する。
図１（ａ）、（ｂ）は、この実施の形態で説明する光ピックアップ装置の概念図であり、図１（ａ）は平面図、図１（ｂ）は側面図である。以下、この両方の図を参照しながら説明する。
【００１３】
すなわち、ハウジング１０１の一方の側壁１０２には、第１の集積光学ユニット２０１が取り付けられている。この第１の集積光学ユニット２０１は、波長７８０ｎｍのレーザ光を出射するＣＤ用の光源（第１の光源）である。
【００１４】
そして、この第１の集積光学ユニット２０１内には、ディスク４００からの反射光がホログラム３０１により回折されて照射され、再生信号、フォーカシングエラー信号及びトラッキングエラー信号を得るために光電変換を行なう光検出器２０が設けられている。
【００１５】
また、ハウジング１０１の他方の側壁１０３には、第２の集積光学ユニット２０２が取り付けられている。この第２の集積光学ユニット２０２は、波長６５０ｎｍのレーザビームを出射するＤＶＤ用の光源（第２の光源）である。
【００１６】
このように、光ピックアップ装置は、第１の光源（ＣＤ用）と、第２の光源（ＤＶＤ用）とを有する。第１の集積光学ユニット２０１から出射されたレーザ光は、ハウジングであるハウジング１０１の平面１０４上で、その平面１０４にほぼ平行な方向に放射され、ホログラム３０１を介してダイクロイックプリズム３０２に入射する。
【００１７】
第１の集積光学ユニット２０１からのレーザ光は、ダイクロイックプリズム３０２を直進した後、コリメータレンズ３０３を通り、反射ミラー（プリズム）３０６に入射する。
【００１８】
この反射ミラー３０６で反射された光は、反射ミラー３０６の上部に配置された対物レンズ３０７に入射する。この対物レンズ３０７で合焦された光は、対物レンズ３０７の上部に位置する光ディスク４００の反射層（情報記録面）に照射される。
【００１９】
この光ディスク４００の情報記録面で反射された光は、対物レンズ３０７及び反射ミラー３０６を介して、ダイクロイックプリズム３０２に入射する。
このダイクロイックプリズム３０２に入射した反射光は、直進し、ホログラム３０１により回折されて、第１の集積光学ユニット２０１内の光検出器２０に入射され、前述した再生信号、フォーカシングエラー信号及びトラッキングエラー信号の生成に供される。
【００２０】
また、第２の集積光学ユニット２０２から出射されたレーザ光は、ハウジング１０１の平面１０４上で、その平面１０４にほぼ平行な方向に放射され、ホログラム３１１を介してダイクロイックプリズム３０２に入射する。
【００２１】
第２の集積光学ユニット２０２からのレーザ光は、ダイクロイックプリズム３０２の内部で反射されて方向変換され、コリメータレンズ３０３に入射する。コリメータレンズ３０３に入射したレーザ光は、反射ミラー（プリズム）３０６に入射する。
【００２２】
この反射ミラー３０６で反射された光は、反射ミラー３０６の上部に配置された対物レンズ３０７に入射する。この対物レンズ３０７で合焦された光は、対物レンズ３０７の上部に位置する光ディスク４００の反射層（情報記録面）に照射される。
【００２３】
この光ディスク４００の情報記録面で反射された光は、対物レンズ３０７及び反射ミラー３０６を介して、ダイクロイックプリズム３０２に入射する。
このダイクロイックプリズム３０２に入射した反射光は、反射し、ホログラム３１１により回折されて、第２の集積光学ユニット２０２内の光検出器２１に入射され、前述した再生信号、フォーカシングエラー信号及びトラッキングエラー信号の生成に供される。
【００２４】
また、対物レンズ３０７は、図示しないレンズホルダによって保持されている。レンズホルダは、複数本のワイヤの一端部で支持されており、フォーカス方向及びトラッキング方向に微動制御可能である。複数本のワイヤは、ハウジング１０１に取り付けられるワイヤホルダによって保持されている。
【００２５】
また、レンズホルダには、例えば、小型のフォーカシング制御用永久磁石及びトラッキング制御用永久磁石が取り付けられている。これらの永久磁石に近接して、ハウジング１０１には、フォーカシング制御用ヨークコイル及びトラッキング制御用ヨークコイルが配置されている。そして、これらのフォーカシング制御用ヨークコイル及びトラッキング制御用ヨークコイルに、それぞれフォーカシング制御信号及びトラッキング制御信号を供給することにより、対物レンズ３０７をフォーカス制御方向及びトラッキング制御方向にそれぞれ微動制御することができる。
【００２６】
次に、上述した光ピックアップ装置を用いた光ディスク装置の構成を説明する。
図２において、ＤＴは、記憶媒体としての前記光ディスク４００を保持するディスクテーブルである。このディスクテーブルＤＴは、サーボ回路により制御されるディスクモータにより回転駆動される。
【００２７】
符号１００は光ピックアップ装置であり、図１で説明したように、ディスクテーブルＤＴに保持されて所定の速度で回転される光ディスク４００の情報記録面にレーザ光を照射するとともに、光ディスク４００の情報記録面で反射された反射光を取り込んで、その反射光の光強度に対応する電気信号を出力する。
【００２８】
光ピックアップ装置１００は、ディスクテーブルＤＴに対して所定の位置関係に設けられたガイドレール６００に沿って、光ディスク４００の情報記録面に形成されたトラックの接線方向と直交する方向（光ディスク４００の半径方向すなわちトラッキング制御方向）に移動可能である。光ピックアップ装置１００は、リニアモータによりガイドレール６００上を往復移動される。
【００２９】
光ピックアップ装置１００の第１の集積光学ユニット２０１に内蔵され、光ディスク４００からの反射光を受光する光検出器２０の出力信号は、信号処理回路７０１、トラッキング制御回路７０２及びフォーカシング制御回路７０３に導かれる。信号処理回路７０１は、光ディスク４００に記録されている情報を再生するための演算処理を実行する。
【００３０】
また、トラッキング制御回路７０２は、光ディスク４００から得られた信号を演算処理してトラッキングエラー信号を生成し、前記トラッキング制御用ヨークコイルに供給するトラッキング制御信号を生成している。フォーカシング制御回路７０３は、光ディスク４００から得られた信号を演算処理してフォーカシングエラー信号を生成し、前記フォーカシング制御用ヨークコイルに供給するフォーカシング制御信号を生成している。
【００３１】
レーザ駆動回路７０５は、図示しないＡＰＣ（ａｕｔｏｍａｔｉｃ　ｐｏｗｅｒ　ｃｏｎｔｒｏｌ）回路からの制御信号に応じて、第１の集積光学ユニット２０１及び第２の集積光学ユニット２０２のレーザ光のパワーを制御する。なお、上記ＡＰＣ回路は、入力された検出信号が予め設定しているレベルの信号であるかどうかを判別し、その判別結果に基づいて得られた制御信号をレーザ駆動回路７０５に供給している。これにより、出力レーザ光のパワーあるいは光ディスク４００からの反射光の光量が予め設定している規格上の範囲内に納まるように自動制御されることになる。
【００３２】
上記第１及び第２の集積光学ユニット２０１，２０２では、それぞれ、所定の波長のビーム光（レーザビーム）を放射するレーザ素子が用いられている。また、対物レンズ３０７は、前記レンズホルダにより、トラックの接線方向と直交する方向（光ディスク４００の半径方向）及びレーザ光の通過方向（光ディスク４００の情報記録面と直交する方向）のそれぞれに移動可能に支持されている。
【００３３】
光ディスク４００の半径方向は、トラッキング制御方向と呼ばれる。光ディスク４００の情報記録面と直交する方向は、フォーカシング制御方向と呼ばれる。トラッキング制御回路７０２は、トラッキングエラー信号からトラッキング制御信号を生成して、前記トラッキング制御用ヨークコイルに供給する。また、フォーカシング制御回路７０３は、フォーカシングエラー信号からフォーカシング制御信号を生成して、前記フォーカシング制御用ヨークコイルに供給する。
【００３４】
全体の回路の動作タイミングや、動作条件（パラメータ等）の切替制御は、システム制御部７１０からの制御信号により設定される。また、この光ディスク装置には、電源装置、装置自体を動作させる際に読み出されるプログラムが記憶されているＲＯＭ（Ｒｅａｄ　Ｏｎｌｙ　Ｍｅｍｏｒｙ）、光ディスク４００から読み出されたデータまたはホストコンピュータ等から入力されるデータならびに制御データ等を一時的に記憶するＲＡＭ［Ｒａｎｄｏｍ　Ａｃｃｅｓｓ　Ｍｅｍｏｒｙ（作業メモリ）］等が設けられている。
【００３５】
上記の説明では、光ディスク４００からの情報再生時の動作について説明したが、この発明の装置は、ＲＡＭディスクに対する情報記録に対して適用できることはもちろんである。このときは、レーザ駆動回路７０５は、記録情報に応じて変調制御されるとともに、ＡＰＣ回路によりレーザ光の平均的なパワーが記録レベルに達するように制御される。
【００３６】
次に、図３は上述した光ピックアップ装置の全体的な構造を示した外観図である。
図３に示される光ピックアップ装置において、ハウジング１０１内に第１の集積光学ユニット２０１、第２の集積光学ユニット２０２及び対物レンズ３０７等の光学部品が内設され、このハウジング１０１を部分的に覆うように板ばね１１０が形成されている。第１の集積光学ユニット２０１及び第２の集積光学ユニット２０２内に設けられた光検出器２０、２１は光ディスク４００で反射された反射光を受光して電気信号に変換して、図２で示した信号処理回路７０１、トラッキング制御回路７０２、フォーカシング制御回路７０３やレーザ駆動回路７０５に出力するようになっている。
【００３７】
また、ハウジング１０１にはガイドレール６００を挿入させるガイドレール受け部６０２が設けられ、光ピックアップ装置は光ディスク４００の半径方向に移動可能となっている。
【００３８】
図４は、ハウジングにダイクロイックプリズムを装着した際の外観図である。図４に示されるハウジング１０１には、ダイクロイックプリズム１２０が角度、位置などを正確に調整され保持されている。ダイクロイックプリズム１２０は、空間Ａに配置される第１の集積光学ユニット２０１から照射されるレーザ光、又はこのレーザ光が光ディスク４００によって反射された反射光を透過させ、さらに、空間Ｂに配置される第２の集積光学ユニット２０２から照射されるレーザ光、又はこのレーザ光が光ディスク４００によって反射された反射光を反射させて方向転換させるものである（図中矢印方向）。
【００３９】
また、ダイクロイックプリズム１２０は２つの部材を１つに貼り合わせて作られ、これら２つの部材が貼り合わされた面等を利用してレーザ光を反射、透過させている。
【００４０】
図５は、ハウジングを示した外観図であり、図６は図５の裏側から見た外観図である。さらに図７（Ａ）は、ダイクロイックプリズムの角度、位置調整を行うための治具を示す図であり、（Ｂ）は上側から見た図である。
【００４１】
図５に示すように、ハウジング１０１はダイクロイックプリズム１２０が取り付けられる取付面１６に複数の挿入孔１０、１１、１２が設けられている。これら挿入孔１０、１１、１２は、図７に示す治具５０の支持棒３０、３１、３２が挿入され、ダイクロイックプリズム１２０の角度、位置調整に供される。
【００４２】
上述したようにダイクロイックプリズム１２０の貼り合わせ面は、当然貼り合わされている分、図４のように配置した際にその高さ方向に誤差が生じてくる可能性が高い。そのため、治具５０の支持棒３０、３１、３２が挿入孔１０、１１、１２に挿入され、ダイクロイックプリズム１２０の表面に当接した場合、その当接した個所がダイクロイックプリズム１２０の貼り合わせ面であれば、ダイクロイックプリズム１２０を正確な角度、位置に調整することはできない。そこで、これら挿入孔１０、１１、１２は、貼り合わされたダイクロイックプリズム１２０の貼り合わせ面を避けるようにハウジング１０１に形成される。
【００４３】
また、ダイクロイックプリズム１２０がハウジング１０１に配置される取付面１６の中心付近に挿入孔１０、１１、１２が設けられると、治具５０の支持棒３０、３１、３２を挿入した際に、角度、位置調整を安定して行うことができない。そのため、挿入孔１０、１１、１２はダイクロイックプリズム１２０の表面（支持棒が挿入される側の表面）の外周側の位置と対応したハウジング１０１の位置に形成されるようになっている。
【００４４】
接着孔１４は、ダイクロイックプリズム１２０を接着固定するための接着剤を充填するためのものである。また、接着孔１５は、第１の集積光学ユニット及び第２の集積光学ユニットから照射されたレーザ光がダイクロイックプリズム１２０を透過又は反射した後、レーザ光を平行光にするためのコリメータレンズ３０３を接着固定するための接着剤を充填するためのものである。
【００４５】
次に、治具５０についてもう少し詳しく説明する。
図７（Ａ）（Ｂ）に示すように、治具５０はダイクロイックプリズム１２０をハウジング１０１に角度、位置調整するためのものである。この角度、位置調整とは図５に示したＸ方向（光ディスクのトラック方向、つまりラジアル方向）、Ｙ方向（光ディスクのトラック接線方向、つまりタンジェンシャル方向）、Ｚ方向（光ディスクの高さ方向）に調整することである。
【００４６】
治具５０は、台座３５を有し、この台座３５に後述するラジアル調整ネジ３７、タンジェンシャル調整ネジ３９、高さ調整ネジ４１が備えられている。調整台４３は台座３５に接触され、Ｘ、Ｙ、Ｚ方向に自在に回動自在となっている。調整棒４５は、この調整棒４５の一端部が調整台４３に固定されるとともに、調整棒４５の他端部にダイクロイックプリズム１２０の角度、位置調整するための支持棒３０、３１、３２が設けられている。これら支持棒３０、３１、３２はハウジング１０１に設けられた挿入孔１０、１１、１２の配置と対応している位置に設けられている。
【００４７】
ラジアル調整ネジ３７は、調整台４３と連動しており、ラジアル調整ネジ３７を回すことによって調整台４３が図５のＸ方向に回動される。タンジェンシャル調整ネジ３９は、調整台４３と連動しており、タンジェンシャル調整ネジ３９を回すことによって調整台４３が図５のＹ方向に回動される。同様に、高さ調整ネジ４１も調整台４３と連動し、高さ調整ネジ３７を回すことによって調整台４３が図５のＺ方向に回動されるようになっている。
【００４８】
次に、ハウジング１０１にダイクロイックプリズム１２０を取り付ける取付方法について、図５乃至図７（Ａ）（Ｂ）を用いて説明する。
まず、作業者はハウジング１０１のあてつけ部１３にダイクロイックプリズム１２０の所定の面をあてつける。あてつけた後、作業者は治具５０の支持棒３０、３１、３２を挿入孔１０、１１、１２に挿入させ、ダイクロイックプリズム１２０の表面を支持させる。この状態で、ラジアル方向、タンジェンシャル方向、高さ方向の位置調整をラジアル調整ネジ３７、タンジェンシャル調整ネジ３９及び高さ調整ネジ４１を使って調整する。実際には、作業者は各種調整ネジでラジアル方向、タンジェンシャル方向、高さ方向を調整した後に、レーザ光をダイクロイックプリズム１２０にあててレーザ光の特性を見る。そして、特性が正しくないと判断した場合に再度各種調整ネジで調整し、またレーザ光を当ててレーザ光の特性を見る。これを繰返し行って、ダイクロイックプリズム１２０の正確な角度、位置を調整する。
【００４９】
そして、レーザ光の特性が正しいと判断した場合、作業者はハウジング１０１のあてつけ部１３とダイクロイックプリズム１２０との間に接着剤を充填し仮止めし、ハウジング１０１の裏側（図６参照）から接着孔１４を介して接着剤を充填して、ダイクロイックプリズム１２０を固定接着させる。
【００５０】
従来は、この治具５０を用いずに、作業者のあてつけという手感覚でダイクロイックプリズム１２０を調整していた。すなわち、作業者はレーザ光をダイクロイックプリズム１２０にあててレーザ光の特性を見て、特性が正しくない場合は、作業者がダイクロイックプリズム１２０を微調整して再度レーザ光の特性を見ていた。そして。この作業を繰返して位置調整の精度を上げるが、何度やっても精度が上がらない場合にはハウジング１０１の型変更を行う。つまり、ハウジング１０１の精度追い込みである。しかし、このようなハウジングの精度追い込みには数ヶ月を要することとなり、膨大な時間を費やすことになっていた。
【００５１】
上記した実施の形態によれば、ハウジング１０１へのあてつけでダイクロイックプリズム１２０を調整するのではなく、治具５０を用いて調整する。調整においては、治具５０に備えられた支持棒３０、３１、３２をハウジング１０１に形成された挿入孔１０、１１、１２に挿入させ、ダイクロイックプリズム１２０の表面を下方から支持し、ラジアル方向、タンジェンシャル方向及び高さ方向の３軸の調整を行う。
【００５２】
これにより、ハウジング精度に左右されずに確実かつ正確な調整を行うことができ、安定した生産を行うことができる。
また、治具５０に３本の支持棒３０、３１、３２を備えたことにより、ダイクロイックプリズム１２０を安定して支持することが可能であり、容易な調整を行うことができる。また、ハウジング１０１に支持棒を通す挿入孔を設けたことから、ハウジング１０１と治具５０とを分離した調整が可能である。
【００５３】
さらに、上記支持棒により、ラジアル方向、タンジェンシャル方向、高さ方向の３軸を調整することが可能なため、調整制度もあてつけという作業者の手感覚で行っている時とは異なり、治具５０を用いることから微細な角度、位置調整を行うことができる。
【００５４】
なお、本発明は、上記実施形態に限定されるものではなく、実施段階では、その要旨を逸脱しない範囲で種々に変形することが可能である。例えば、ダイクロイックプリズム１２０の調整について説明したが、その他光学部品であっても構わない。また、ハウジング１０１に形成された挿入孔が１つ若しくは２つであってもよい。この場合は、あてつけ部１３と対向する位置で、かつ、ダイクロイックプリズム１２０の外周側を支持するように、ハウジング１０１の位置に挿入孔を設ける。その場合、挿入孔が１つであれば２軸調整が可能となり、また挿入孔が２つであれば３軸調整が可能である。
【００５５】
【発明の効果】
以上のように、光ピックアップ装置において、光学部品であるダイクロイックプリズムをハウジングに取り付ける際に、治具を用いて３軸調整するため、ハウジング精度に大きく寄与するあてつけ方式よりも、角度、位置調整を容易かつ正確に行うことができ、光ピックアップ装置として高性能な製品を提供することができる。
【図面の簡単な説明】
【図１】本発明に係る一実施形態の光ピックアップ装置の概念図である。
【図２】光ピックアップ装置を用いた光ディスク装置の構成図である。
【図３】光ピックアップ装置の全体的な構造を示した外観図である。
【図４】ハウジングにダイクロイックプリズムを装着した際の外観図である。
【図５】ハウジングを示した外観図である。
【図６】図５の裏側から見た外観図である。
【図７】ダイクロイックプリズムの角度、位置調整を行うための治具を示す図である。
【符号の説明】
１０、１１、１２　　挿入孔
１４、１５　　接着孔
２０、２１　　光検出器
３０、３１、３２　　支持棒
３５　　台座
３７　　ラジアル調整ネジ
３９　　タンジェンシャル調整ネジ
４１　　高さ調整ネジ
４３　　調整台
４５　　調整棒
５０　　治具
１０１　　ハウジング
１１０　　板ばね
２０１　　第１の集積光学ユニット
２０２　　第２の集積光学ユニット
３０１、３１１　　ホログラム
３０２　　ダイクロイックプリズム
３０３　　コリメータレンズ
３０６　　反射ミラー
３０７　　対物レンズ
４００　　光ディスク
【図１】
2004103193.tif 000003
【図２】
2004103193.tif 000004
【図３】
2004103193.tif 000005
【図４】
2004103193.tif 000006
【図５】
2004103193.tif 000007
【図６】
2004103193.tif 000008
【図７】
2004103193.tif 000009